(57)【要約】      （修正有）【課題】規定された問題に対するデータを照合して、正確なデータ解析ができるようにするシステムおよびツールを提供する。【解決手段】データ管理システムは、クライアントにより規定された問題文に対するデータを収集１０２するように構成されているデータ照合システムを備え、状況制御質問（ＳＣＱ）マトリックスを生成１０４させる。ＳＣＱマトリックスは１以上のユーザが問題文によって規定された問題の、現在の状態と望ましい解決法とを規定し、データ照合システムはまた、１以上のユーザが直接的および／または間接的に問題に寄与する複数の要因を列挙よう要因マップを生成１０６させる。データ照合システムは１以上のユーザが前記問題文に基づいて１以上の仮説を構築する仮説マトリックスを生成１０８させる。データ管理システムはデータ照合モジュールに結合され、問題文に関連するデータを記憶するメモリ回路をさらに具備する。【選択図】図３
2014135056.tif 000002
【特許請求の範囲】
【請求項１】
データ管理システムにおいて、
問題文に対するデータを収集するよう構成されているデータ照合モジュールを具備し、前記問題文はクライアントにより特定され、
前記データ照合システムは、
状況制御質問（ＳＣＱ）マトリックスを生成させるように構成されているＳＣＱモジュールと、
要因マップを生成させるように構成されている要因マップモジュールと、
仮説マトリックスを生成するように構成されている仮説モジュールと
前記データ照合モジュールに結合され、前記問題文に関連するデータを記憶するように構成されているメモリ回路とを備え、
前記ＳＣＱマップは１以上のユーザが前記問題文によって規定された問題の、現在の状態と望ましい解決法とを規定できるように構成され、
前記要因マップインターフェースは１以上のユーザが直接的および／または間接的に前記問題に寄与する複数の要因を列挙できるように構成され、
前記仮説マトリックスは１以上のユーザが前記問題文に基づいて１以上の仮説を構築できるように構成されているデータ管理システム。
【請求項２】
前記ＳＣＱマトリックスは１以上のユーザが前記現在の状態と前記望ましい解決法との間のギャップを識別できるようにさらに構成されている請求項１記載のデータ管理システム。
【請求項３】
前記ＳＣＱマトリックスは１以上のユーザが前記望ましい解決法に関連する１以上の質問を提供できるようにさらに構成されている請求項２記載のデータ管理システム。
【請求項４】
前記要因マップは１以上のユーザが前記問題に寄与する要因を追加および／または削除できるようにさらに構成されている請求項１記載のデータ管理システム。
【請求項５】
前記仮説マトリックスは１以上のユーザが前記仮説マトリックス中の各仮説に複数のコンポーネント質問を追加および／または削除できるように構成されている請求項１記載のデータ管理システム。
【請求項６】
前記仮説マトリックスは１以上のユーザが前記仮説マトリックス中の各仮説に複数のデータエレメントを追加および／または削除できるように構成されている請求項５記載のデータ管理システム。
【請求項７】
前記データ照合モジュールは１以上のユーザが複数の質問に回答を提供できるようにする構造化された質問事項を提供するように構成されている構造化された質問事項モジュールをさらに備えている請求項１記載のデータ管理システム。
【請求項８】
前記構造化された質問事項は複数の予め規定された質問を含む請求項７記載のデータ管理システム。
【請求項９】
前記データ照合モジュールは品質チェックチャートを生成するように構成されている品質チェック質問事項モジュールをさらに備えている請求項１記載のデータ管理システム。
【請求項１０】
前記品質チェックチャートはメトリックと予期される比較とを含む請求項１記載のデータ管理システム。
【請求項１１】
前記データ照合モジュールは複数のユーザによってアクセスできるように共有ネットワーク上でホスト管理される請求項１記載のデータ管理システム。
【請求項１２】
前記メモリ回路は複数のクライアントにより規定された複数の問題文を記憶するように構成されているライブラリを含む請求項１記載のデータ管理システム。
【請求項１３】
前記ライブラリは１以上のユーザが前記複数の問題文をサーチし、前記ライブラリに記憶されている対応するデータにアクセスできるように構成されているサーチオプションを含む請求項５記載のデータ管理システム。
【請求項１４】
規定された問題文に対するデータを照合するためのデータ管理ツールにおいて、
前記データ管理ツールは、
１以上のユーザが前記問題文により規定された問題の、現在の状態と望ましい解決法とを規定できるように構成されているＳＣＱインターフェースと、
１以上のユーザが直接的および／または間接的に前記問題に寄与する複数の要因を列挙できるように構成されている要因マップインターフェースと、
１以上のユーザが前記問題文に基づいて１以上の仮説を構築できるように構成されている仮説インターフェースとを具備し、前記１以上の仮説は仮説マトリックス中でともに表されるデータ管理ツール。
【請求項１５】
前記ＳＣＱインターフェースは、
１以上のユーザが前記現在の状態と前記望ましい解決法との間のギャップを識別できるようにと、
１以上のユーザが前記望ましい解決法に関連する１以上の質問を提供できるようにさらに構成されている請求項１４記載のデータ管理ツール。
【請求項１６】
前記要因マップインターフェースは１以上のユーザが前記問題に寄与する要因を追加および／または削除できるようにさらに構成されている請求項１４記載のデータ管理ツール。
【請求項１７】
前記仮説インターフェースは１以上のユーザが前記仮説マトリックス中の各仮説への複数のコンポーネント質問と前記仮説マトリックス中の各仮説への複数のデータエレメントとを追加および／または削除できるように構成されている請求項１４記載のデータ管理ツール。
【請求項１８】
１以上のユーザが複数の質問に回答を提供できるように構成されている構造化された質問事項インターフェースをさらに具備し、前記構造化された質問事項インターフェースは複数の予め規定された質問を備える請求項１４記載のデータ管理ツール。
【請求項１９】
品質チェックチャートを生成させるように構成されている品質チェック質問事項をさらに具備し、前記品質チェックチャートはメトリックと予期される比較とを備える請求項１４記載のデータ管理ツール。
【請求項２０】
複数のクライアントにより規定された複数の問題文を記憶するように構成されているライブラリをさらに具備し、前記ライブラリは１以上のユーザが前記複数の問題文をサーチし、前記ライブラリ中に記憶されている対応するデータにアクセスできるように構成されているサーチオプションを備える請求項１４記載のデータ管理ツール。
【発明の詳細な説明】
【背景】
【０００１】
本発明は一般的にデータ管理システムに関連し、さらに詳細には、規定された問題に対するデータを照合して、正確なデータ解析ができるようにするシステムおよびツールに関連する。
【０００２】
データ照合は、一般的に確立されているシステマティックな仕方で、関心あるトピックスに関する情報を収集するプロセスである。データ照合または収集は自然科学および社会科学、人文科学、ビジネスなどを含むすべての分野の研究に対する共通コンポーネントである。方法は学問分野によって変化するが、データの正確な収集を確実にすることの重要さは同じままである。
【０００３】
データ照合は通常、データ解析システムの重要なコンポーネントである。正確なデータ収集は、データ解析の間の有効な結果に対して重要である。データの不正確な収集に関係する多くの問題がある。１つのそのような問題は特定のリサーチ質問に回答できず、研究を繰り返すことができず、研究の有効性を確認できないことである。歪んだデータはまた結果として無駄なリソースとなり、誤解させることがある。
【０００４】
現在のデータ管理システムでは、不十分なデータ、ときには不適切なデータにつながる、構造化されていないフォーマットを使用して、データは典型的に収集されている。さらに、システムの中には、データを収集するのにいくつかの質問を用いるものもある。しかしながら、そのような質問は、質問を組み立てる個人と割り当ての知識とに基づいて、バイアスをうける。
【０００５】
したがって、収集されたデータが、確実に規定され、バイアスされず、正確であり、発見の中で具体化される論拠に基づいた後の決定が確実に有効となる、データ照合に対するシステマティックなアプローチが望まれる。
【概要】
【０００６】
簡単に説明すると、発明のある態様にしたがうと、データ管理システムが提供される。データ管理システムは、クライアントによって特定される問題文に対するデータを収集するように構成されているデータ照合モジュールを具備する。データ照合システムは、状況制御質問（ＳＣＱ）マトリックスを生成させるように構成されているＳＣＱモジュールを備える。ＳＣＱマトリックスは、１以上のユーザが問題文により規定された問題の、現在の状態と望ましい解決法とを規定できるように構成されている。データ照合システムはまた、要因マップを生成させる要因マップモジュールを備える。要因マップは、１以上のユーザが直接および／または間接的に問題に寄与する複数の要因を列挙できるように構成されている。データ照合システムは、仮説マトリックスを生成させるように構成されている仮説モジュールをさらに備える。仮説マトリックスは、１以上のユーザが問題文に基づいて１以上の仮説を構築できるように構成されている。データ管理システムは、データ照合モジュールに結合され、問題文に関連するデータを記憶するように構成されているメモリ回路をさらに具備する。
【０００７】
別の実施形態では、規定された問題文に対するデータを照合するためのデータ管理ツールが提供される。データ管理ツールは、１以上のユーザが問題文により規定された問題の、現在の状態と望ましい解決法とを規定できるように構成されている状況制御質問（ＳＣＱ）インターフェースと、１以上ユーザが直接的および／または間接的に問題に寄与する複数の要因を列挙できるように構成されている要因マップインターフェースと、１以上のユーザが問題文に基づいて１以上の仮説を構築できるように構成されている仮説インターフェースとを具備し、１以上の仮説は仮説マトリックス中で共に表される。
【図面の簡単な説明】
【０００８】
本発明のこれらと他の特徴、態様および利点は、付随する図面を参照して、以下の詳細な説明を読むとより理解されるだろう。付随する図面では、図面全体を通して、同じ符号は同じ部品を表している。
【図１】図１は本技術の態様にしたがって実現される一般目的コンピュータのブロックダイヤグラムである。
【図２】図２は本技術の態様にしたがって実現されるデータ照合モジュールの１つの実施形態のブロックダイヤグラムである。
【図３】図３はこの方法により、本技術の態様にしたがって実現されるコンピュータシステムを使用してデータを照合することができる１つの方法を例示しているフローチャートである。
【図４】図４は本技術の態様にしたがって実現される状況−複雑化−質問マトリックスのブロックダイヤグラムである。
【図５】図５は本技術の態様にしたがって実現される特定の問題文に対して規定された例示的な状況−複雑化−質問マトリックスインターフェースである。
【図６】図６は本技術の態様にしたがって実現される例示的な要因マップインターフェースである。
【図７】図７は本技術の態様にしたがって実現される例示的な仮説インターフェースである。
【図８】図８は本技術の態様にしたがって実現される例示的な構造化されたフォーマット質問事項インターフェースである。
【図９】図９は本技術の態様にしたがって実現される例示的な品質チェック質問事項インターフェースである。
【図１０】図１０は本技術の態様にしたがって実現されるデータ管理ツールに対する例示的なログインスクリーンである。
【図１１】図１１は本技術の態様にしたがって実現されるデータ管理ツールに対する例示的なホームインターフェースである。
【詳細な説明】
【０００９】
本発明は、正確なデータ解析ができるように規定された問題文に対するデータを収集および照合するように構成されているデータ管理システムを提供する。技術は構造化された仕方で、データを収集するように設計されているデータ照合フレームワークを使用する。フレームワークは、企業問題の正確な表現と見通しにつながる、データの十分で効果的な収集を適切に重視することを保証する。
【００１０】
明細書中での「１つの実施形態」、「実施形態」、「例示的な実施形態」への言及は、記述された実施形態が特定の機能、構造または特徴を含んでいてもよいが、すべての実施形態が必ずしも特定の機能、構造または特徴を含むわけではないことを示している。その上、そのようなフレーズは必ずしも同じ実施形態に言及しているわけではない。さらに、特定の機能、構造または特徴が、実施形態に関連して記述されているとき、明示的に記述されているか否かにかかわらず、他の実施形態に関連するそのような機能、構造または特徴に影響を及ぼすことは当業者の知識内のことであると思料する。
【００１１】
図面に移り、最初に図１を参照すると、本技術にしたがって、データを照合するように構成されている例示的なデータ管理システム１０のブロックダイヤグラムが示されている。非常に基本コンフィギュレーション１２では、データ管理システム１０は１以上のプロセッサ１４とシステムメモリ１６とを典型的に含んでいる。プロセッサ１４とシステムメモリ１６との間の通信にメモリバス１８を使用してもよい。
【００１２】
望ましいコンフィギュレーションに依存して、プロセッサ１４は、これらに限定されないが、マイクロプロセッサ（μＰ）、マイクロ制御装置（μＣ）、デジタル信号プロセッサ（ＤＳＰ）、またはそれらの任意の組み合わせを含む任意のタイプのものであってもよい。プロセッサ１４は、レベル１キャッシュ２０およびレベル２キャッシュ２２のような、１以上のレベルのキャッシングと、プロセッサコア２４と、レジスタ２６とを含んでいてもよい。例示的なプロセッサコア２４は、演算ロジックユニット（ＡＬＵ）、浮動小数点ユニット（ＦＰＵ）、デジタル信号処理コア（ＤＳＰコア）、またはそれらの任意の組み合わせを含んでいてもよい。例示的なメモリ制御装置２８を、プロセッサ１４とともに使用してもよく、またはインプリメンテーションによっては、メモリ制御装置２８はプロセッサ１４の内部部品であってもよい。
【００１３】
望ましいコンフィギュレーションに依存して、システムメモリ１６は、これらに限定されないが、（ＲＡＭのような）揮発性メモリ、（ＲＯＭ、フラッシュメモリ等のような）不揮発性メモリ、またはそれらの任意の組み合わせを含む任意のタイプのものであってもよい。システムメモリ１６は、オペレーティングシステム３０と、１以上のデータ照合モジュール３２と、データ３４とを含んでいてもよい。
【００１４】
データ照合モジュール３２は、問題文に対するデータを収集するように構成されており、問題文はクライアントによって特定される。ライブラリ３４は、入力データと、ストリングデータと、数データと、ここで記述されるような問題および仮説に影響を及ぼす要因とを含んでいてもよい。ライブラリ３４はまた、他のプロジェクトで規定された問題文に関連する履歴データ含んでいてもよい。この記述した基本コンフィギュレーション１２は、内部の破線内のこれらのコンポーネントにより図１中に図示されている。
【００１５】
データ管理システム１０は、付加的な特徴または機能性と、基本コンフィギュレーション１２と任意の要求されたデバイスおよびインターフェースとの間の通信を促進する付加的なインターフェースとを持っていてもよい。例えば、バス／インターフェース制御装置３８を使用し、記憶装置インターフェースバス４２を介して、基本コンフィギュレーション１２と１以上のデータ記憶デバイス４０との間の通信を促進してもよい。データ記憶デバイス４０は、取り外し可能記憶デバイス４４、非取り外し可能記憶デバイス４６、またはそれらの組み合わせでもよい。
【００１６】
取り外し可能記憶デバイスおよび非取り外し可能記憶デバイスの例は、いくつか挙げると、フレキシブルディスクドライブおよびハード−ディスクドライブ（ＨＤＤ）のような磁気的ディスクデバイス、コンパクトディスク（ＣＤ）ドライブまたはデジタル汎用ディスク（ＤＶＤ）ドライブのような光学ディスクドライブ、ソリッドステートドライブ（ＳＳＤ）、およびテープドライブを含む。例示的なコンピュータ記憶媒体は、コンピュータ読み取り可能命令、データ構造、プログラムモジュール、または他のデータのような、情報の記憶のための任意の方法または技術中で実現される、揮発性および不揮発性の、取り外し可能および非取り外し可能媒体を含んでいてもよい。
【００１７】
システムメモリ１６、取り外し可能記憶デバイス４４、非取り外し可能記憶デバイス４６は、コンピュータ記憶媒体の例である。コンピュータ記憶媒体は、これらに限定されないが、ＲＡＭ、ＲＯＭ、ＥＥＰＲＯＭ、フラッシュメモリまたは他のメモリ技術、ＣＤ−ＲＯＭ、デジタル汎用ディスク（ＤＶＤ）または他の光学記憶装置、磁気的カセット、磁気的テープ、磁気的ディスク記憶装置または他の磁気的記憶デバイス、あるいは、望ましい情報を記憶するために使用され、データ管理システム１０によりアクセスすることができる他の任意の媒体を含んでいる。そのような任意のコンピュータ記憶媒体は、データ管理システム１０の一部であってもよい。
【００１８】
データ管理システム１０はまた、バス／インターフェース制御装置３８を介して、さまざまなインターフェースデバイス（例えば、出力デバイス５０、周辺インターフェース５２、および通信デバイス５４）から基本コンフィギュレーション１２への通信を促進するインターフェースバス４８を含んでいてもよい。例示的な出力デバイス５０は、グラフィック処理ユニット５６とオーディオ処理ユニット５８とを含み、グラフィック処理ユニット５６とオーディオ処理ユニット５８は、１以上のＡ／Ｖポート６０を介して、ディスプレイまたはスピーカーのような、さまざまな外部デバイスと通信するように構成されていてもよい。
【００１９】
例示的な周辺インターフェース５２は、シリアルインターフェース制御装置６２またはパラレルインターフェース制御装置６４を含み、シリアルインターフェース制御装置６２またはパラレルインターフェース制御装置６４は、１以上のＩ／Ｏポート６６を介して、入力デバイス（例えばキーボード、マウス、ペン、音声入力デバイス、接触入力デバイス等）または他の周辺デバイス（例えばプリンタ、スキャナ等）のような、外部のデバイスと通信をするように構成されていてもよい。例示的な通信デバイス５４はネットワーク制御装置６８を含み、ネットワーク制御装置６８は、１以上の通信ポート７２を介し、ネットワーク通信リンクを通して、１以上の他のデータ管理システム７０との通信を促進するように構成されていてもよい。
【００２０】
ネットワーク通信リンクは、通信媒体の１つの例であるかもしれない。通信媒体は、コンピュータ読み取り可能命令と、データの構造と、プログラムモジュールと、あるいは、搬送波または他の伝送メカニズムのような変調されたデータ信号中の他のデータとによって、典型的に具体化されてもよく、任意の情報配信媒体を含んでいてもよい。「変調されたデータ信号」は、その特徴セットのうちの１以上を持つ信号、または、信号中に情報をエンコードするような方法で変化を受けている信号でもよい。例として、および限定ではなく、通信媒体は、ワイヤードネットワークまたはダイレクト−ワイヤード接続のようなワイヤード媒体と、音響、無線周波数（ＲＦ）、マイクロ波、赤外線（ＩＲ）のようなワイレス媒体と、他のワイヤレス媒体とを含んでいてもよい。ここで使用されるコンピュータ読み取り可能媒体の用語は、記憶媒体と通信媒体の両方を含んでいてもよい。
【００２１】
データ管理システム１０は、セル電話機、パーソナルデータアシスタント（ＰＤＡ）、パーソナルメディアプレーヤーデバイス、ワイヤレスウェブ−ウォッチデバイス、パーソナルヘッドセットデバイス、アプリケーション特有のデバイス、または、上述の機能のうちの任意のものを含むハイブリッドデバイスのような、小型形態の要因を持つポータブル（またはモバイル）電子デバイスの一部分として実現してもよい。データ管理システム１０はまた、ラップトップコンピュータおよび非ラップトップコンピュータのコンフィギュレーションの両方を含む、パーソナルコンピュータとして実現してもよいことに留意されたい。
【００２２】
１つの実施形態において、データ管理システム１０は、問題に関連するデータを照合および解析するように構成されている。一般的に問題は、クライアントによって通常規定される問題文によって表される。ここで使用されているようなクライアントは、ここで記述するデータ管理システムを用いて、１以上の問題に対する最適な解決法に到達する任意のエンティティを指す。データ管理システム１０は、問題文に関連するデータを照合するように構成されているデータ照合モジュール３２を含む。データ照合モジュール３２が動作する方法は、以下でさらに詳細に記述する。
【００２３】
図２は、本技術の態様にしたがって実現される、データ照合モジュールの１つの実施形態のブロックダイヤグラムである。データ照合モジュール８０は、状況−複雑化−質問（ＳＣＱ）モジュール８２と、要因マップモジュール８４と、仮説モジュール８６とを含む。１つの実施形態において、これらのモジュールは、１以上のユーザによってデータが入れられる１以上のテンプレートを発生させるために使用される。データが入れられたテンプレートからのデータは、さらなる解析のために、その後照合される。加えて、データ照合モジュール８０は、構造化された質問事項モジュール８８および品質チェック質問事項モジュール９０をさらに含む。各モジュールは、以下でさらに詳細に記述する。
【００２４】
ＳＣＱモジュール８２は、クライアントから受け取った問題文に基づいて、ＳＣＱマトリックスを生成させるように構成されている。１つの実施形態において、ＳＣＱマトリックスは、後に示されるように、ＳＣＱインターフェースの形態で１以上のユーザに提示される。ＳＣＱマトリックスは、問題の現在の状態、問題の望ましい解決法を表す。さらに、ＳＣＱマトリックスは、問題の現在の状態と望ましい解決法との間のギャップを含む。加えて、ＳＣＱテンプレートは、きわどい挑戦を表す１組の質問を含む。
【００２５】
１つの実施形態において、ＳＣＱマトリックスは、問題の現在の状態と、問題の望ましい解決法と、ギャップと、挑戦とに対する入力フィールドを含む。１以上のユーザが、各コンポーネントへの回答を提供してもよい。１以上のユーザは、データ解析者であることに留意されたい。
【００２６】
要因マップモジュール８４は、クライアントによって規定された問題に直接または間接的に寄与するさまざまな要因を規定する要因マップを生成させるように構成されている。要因マップはまた、後に示されるように、要因マップインターフェースの形態で１以上のユーザに提示されてもよい。１つの実施形態において、要因マップテンプレートは編集可能である。例えば、問題の特質に依存して、クライアントは影響を与える要因を追加または削除してもよい。
【００２７】
仮説モジュール８６は、クライアントによって特定された問題文に対する仮説マトリックスを生成させるように構成されている。１つの実施形態において、仮説マトリックスは、仮説インターフェースの形態で、１以上のユーザに提示される。１つの実施形態において、仮説マトリックスを使用して、特定された問題文に対して照合されるデータの十分さを決定し、データ解析を進める。
【００２８】
構造化された質問事項モジュール８８は、クライアントが問題文の追加の情報を提供できるようにする、構造化された質問事項を生成させるように構成されている。１つの実施形態において、構造化された質問事項は、構造化された質問事項インターフェース８８として、１以上のユーザに提示される。構造化された質問事項は、かなり特定な質問を使用して示された問題を取り込み、かなり特定な質問のそれぞれは、対応する入力フィールドを持っている。入力フィールドは、ユーザによってデータが入れられ、このように取り込まれたデータは、クライアントによって規定された問題への迅速な洞察を促進する。
【００２９】
品質チェック質問事項モジュール９０は、品質チェックチャートを生成させるように構成されている。１つの実施形態において、ＳＣＱマトリックスと、要因マップと、仮説マトリックスと、構造化された質問事項とが完成した後に、データを入れることができる品質チェックインターフェースとして、品質チェックチャートはユーザに提示される。品質チェックチャートは、メトリックと予期とを規定することを伴う、データチェックを実行するために使用する。品質チェックチャートは、入力データチェックおよび出力データチェックの両方を実行して、メトリックとそれに対応する予期とを規定するために使用することができる。
【００３０】
１つの実施形態において、データ照合モジュールは、コンピューティングデバイス上で実行することができる、データ管理ツールとして実現される。データ管理ツールは、ＳＣＱマトリックスと、要因マップと、仮説マトリックスと、構造化された質問事項と、品質チェックチャートとを、ユーザへのユーザインターフェースとして提示する。１つの実施形態において、すべてのインターフェースは、さまざまなタイプのデータを受け取ることができる入力フィールドを含む。
【００３１】
１つの実施形態において、すべてのインターフェースは、アドビ（登録商標）を使用して構築されている。別の実施形態では、すべてのインターフェースは、イメージと、テキストファイルと、エクセルシート等のような、非編集可能なフォーマットでエクスポート可能である。上記で記述したように、データ照合モジュールは、構造化された仕方でデータを収集するように構成されている。データを収集および照合する方法は、以下でさらに詳細に記述する。
【００３２】
図３は、本技術の態様にしたがって実現されるデータ管理システムを使用してデータを照合する１つの方法である例示的なフローダイヤグラム１００である。簡潔にいうと、フローチャートはクライアントによって規定された問題文に対するものである。ユーザが、規定された問題を解決するために（図１で記述されたシステムのような）データ管理システムを用いる、データ解析者であることにも留意されたい。プロセスの各ステップを以下に記述する。
【００３３】
ブロック１０２において、問題文が受け取られる。１つの実施形態において、問題文はクライアントによって規定される。例示的な企業問題文は、製品の低い売り上げと、特定の場所におけるマーケティングのフィードバックと、従業員満足度と、競合者による類似製品からの挑戦等を含む。
【００３４】
ブロック１０４において、規定された問題に対する状況−複雑化−質問（ＳＣＱ）マトリックスが生成される。１つの実施形態において、ＳＣＱマトリックスは、問題の現在の状態と、問題の望ましい解決法と、問題の現在の状態および望ましい解決法間のギャップとを使用して表される。ＳＣＱマトリックスはまた、ギャップに関連するキーとなる質問を含む。ＳＣＱマトリックスは、問題文を単純化することと、望ましい解決法に関する明確な洞察を規定することとを目的とする。
【００３５】
ブロック１０６において、要因マップは、規定された問題文に対して生成される。１つの実施形態において、要因マップは、クライアントによって規定された問題に直接または間接的に寄与するさまざまな要因を含む。要因は問題文の特性に基づき、追加または削除してもよい。
【００３６】
１つの実施形態において、各問題文に対する要因の網羅的なリストが生成される。１つの実施形態において、類似した問題による影響を受け、類似した企業環境に関係する、クライアントまたは他のデータ解析者からの履歴データを使用して、要因は生成される。さらに、要因を１以上の要因カテゴリに割り当ててもよい。当業者が正しく認識するように、要因カテゴリの数とタイプは、予め定めてもよく、そのような要因カテゴリは定期的に更新してもよい。
【００３７】
ブロック１０８において、問題文に関係する仮説マトリックスが生成される。仮説マトリックスは、１組の仮説文を含む。各仮説文は、１以上のコンポーネント質問を含んでいてもよい。加えて、仮説文に関係する１組のデータエレメントも識別される。識別された組のデータエレメントの利用可能性に基づいて、データ解析者により、仮説マトリックスにデータが入れられる。
【００３８】
１つの実施形態において、識別されたデータエレメントが、データ解析を進めるのに十分か否かを決定するために、仮説マトリックスがチェックされる。典型的に、データ解析者は機能的な知識に基づいて決定を行う。利用可能なデータが十分である場合、その後システムは、「照合されたデータ」を保存し、「照合されたデータ」は、データの解析のためのさまざまな解析ツールにより後で使用される。データが十分ではない場合、データ解析者は、要求に基づいて、ＳＣＱ／要因マップ／仮説マトリックスを変更するように進むかもしれない。加えて、各仮説のコンポーネント質問は、データ解析のためのコースを決定する。
【００３９】
ブロック１１０において、データが入れられた仮説マトリックス上で、品質チェックが実行される。１つの実施形態において、識別されたデータエレメントが、特定された問題文と確実に関連するように、品質チェックは出力データと同様に入力データに対して実行される。
【００４０】
上記で記述したように、データ照合モジュールのキーコンポーネントの１つは、状況−複雑化−質問マトリックスである。一般的な問題文に関係するデータを照合するようにＳＣＱマトリックスが構成される方法を、以下に記述する。
【００４１】
図４は、本技術の態様にしたがって実現される、例示的な状況−複雑化−質問（ＳＣＱ）マトリックスのブロックダイヤグラムである。ＳＣＱマトリックス１２０のフォーマットは、例示目的だけのためのものであることに留意されたい。示されているように、問題は、問題の現在の状態１２２と、望ましい解決法または望ましい状態１２４と、問題の現在の状態および問題の望ましい状態間の複雑化またはギャップ１２６とを使用して表される。
【００４２】
ＳＣＱマトリックス１２０はさらに、望ましい解決法を達成するために回答するように要求され、問題の現在の状態と問題の望ましい状態との間のギャップに関連する複数の質問１２８を、データ解析者が入力できるようにする。現在の状態と、望ましい状態と、複雑化と、質問とのそれぞれに関係する入力フィールドは、クライアント／データ解析者が、特定の問題に関連するデータを打ち込めるようにする。これらの入力フィールドは、参照番号１２２−Ａ、１２４−Ａ、１２６−Ａ、１２８−Ａを使用してそれぞれ表される。
【００４３】
図５は、特定の問題文に対して規定された例示的な状況−複雑化−質問（ＳＣＱ）マトリックスインターフェース１３０である。以前に記述したように、問題は、問題の現在の状態（セル１３２）と、問題の現在の状態および問題の望ましい解決法間のギャップ（セル１３４）と、望ましい解決法または将来の望ましい状態（セル１３６）とを使用して表される。インターフェース１３０は、望ましい状態を達成するために回答するように要求され、問題の現在の状態と問題の望ましい状態との間のギャップに関連する複数の質問（セル１３８）を、１以上のユーザが提供できるようにする。
【００４４】
この例示的な実施形態において、インターフェース１３０は、さまざまな店舗におけるクライアントの売上に関連するプロジェクトに対する詳細を示す。セル１３２は、現在の状況を示す。示す通り、高い実績の店舗における売り上げに寄与するキーとなる属性のような、問題の現在の状態に関連する既知の事実を含む。１つの実施形態において、１以上のユーザが、入力フィールド１３２−Ａ中に既知の事実を提供してもよい。
【００４５】
セル１３４は、新しい店舗に仕入れる方法を決定するデータ推進アプローチの非利用可能性のような、特定の問題文に対するギャップ／複雑化の詳細を含む。これらの事実は、関係する入力フィールド１３４−Ａを使用して提供される。将来の望ましい状態に関連する事実は、入力フィールド１３６−Ａを使用して、セル１３６中でリストアップされる。例えば、現在のプロジェクトにおいて、店舗の売上の重要な推進力が識別されると予期されている。
【００４６】
ギャップに関連する質問（セル１３８）は、入力フィールド１３８−Ａを使用して提供される。この例は、より多くの製品を仕入れるべき店舗のような質問を含む。当業者によって正しく認識されるように、問題規定フェーズにおいて、他のさまざまな質問を構築してもよい。
【００４７】
図６は、本技術の態様にしたがって実現されるデータ管理ツールによって実現される、例示的な問題文に対する例示的な要因マップインターフェース１４０である。示された実施形態において、セルは、問題に寄与する複数の要因１４２を含む。１つの実施形態において、要因は、データ管理ツールの１以上のユーザによって識別される。
【００４８】
示された例において、売上要因１４４は、店舗属性１４６および環境要因１４８のような要因カテゴリにさらにカテゴリ分けされる。店舗属性要因カテゴリは、店舗のフォーマット、地理、在庫レベル等のようなさまざまな要因を含む。さらに、環境要因は、気象条件、マクロ経済要因等を含む。
【００４９】
要因の網羅的なリストは、要求に応じて生成してもよい。要因のそのようなリストは、インターフェース１４０中で提供される「追加」（セル１５０）タブおよび「削除」（セル１５２）タブを使用して、定期的または周期的に更新してもよい。そのうえ、フォーマットの変更と簡単なナビゲーションを促進するために、インターフェース１４０中で、フォーマッティングおよびナビゲーティングオプションも提供される。
【００５０】
図７は、本技術の態様にしたがって実現されるデータ管理ツールにより実現される、例示的な問題文に対する例示的な仮説マトリックスインターフェース１６０である。示された実施形態において、セル１６２は、問題に関連する複数の仮説を含む。さまざまな店舗における売上の以前の例に戻って参照すると、複数の仮説は、とりわけ、「より多い人口の領域中の店舗は他の店舗よりも良い売上を推進する」、「顧客の可処分所得がより多いほど売上が増加する」、のような仮説を含んでいてもよい。
【００５１】
この例示的な実施形態において、インターフェース１６０は、仮説に優先レベルを割り当てるための付加的なセル１６４を含んでいてもよい。その上、１以上の関係するコンポーネント質問が、複数の仮説のそれぞれに対応して構築され、コンポーネント質問に関係するデータエレメントが識別される（セル１６６およびセル１６８）。例示的な仮説に対応する例示的なコンポーネント質問は、「店舗のそれぞれ周辺の人口はいくらか？」および「高収入の範囲中の世帯数はいくらか？」を含む。企業問題と、プログラマーと、システム管理者とにより影響を受けたデータ解析者によって、そのような質問はシステムに提供されてもよい。
【００５２】
その上、セル１６８は、コンポーネント質問に対応するデータエレメントを含む。データエレメントは複数の仮説の有効性を確認するために利用される。例えば、上記に記述した仮説に対応するデータエレメントは、店舗データと、顧客人口統計と、ＰＯＳデータ等を含んでいてもよい。ある実施形態において、データエレメントは、データのアクセス性および／または利用可能性に基づいて、カテゴリ分けおよびカラーコード化してもよい。そのようなデータエレメントは、割り当てられた優先レベルに基づいて、優先順位付けおよび収集してもよい。同様に、仮説にも、システムのデータ解析者によって優先レベルを割り当ててもよい。さらに、特定のタイプのデータエレメントを選択するために、ドロップダウンメニュー１７０がインターフェース中で提供される。
【００５３】
図８は、本技術の態様にしたがって実現されるデータ管理ツールによって実現される、例示的な問題文に対する例示的な構造化された質問事項インターフェース１８０である。構造化された質問事項インターフェースは、問題文を規定することをさらに助けて、迅速で、関連し、アクション可能な洞察を促進する１組の質問を含む。
【００５４】
示されているように、構造化された質問事項インターフェースは、セル１８１から１８５中で示されるような、予め規定された１組の質問を持つ。各質問は、参照番号１８１−Ａから１８５−Ａで描写された、対応する入力フィールドを持つ。１以上のユーザは、図例で示されるように、各質問に回答を提供してもよい。
【００５５】
ある実施形態において、ＳＣＱマトリックスおよび仮説マトリックスは、構造化された質問事項とともに、交換可能に使用してもよい。典型的に、この構造化された質問事項は、大きな問題のサブセットまたは迅速な注意が要求される問題に対して使用される。
【００５６】
図９は、本技術の態様にしたがって実現されるデータ管理ツールによって実現される、例示的な問題文に対する例示的な品質チェック質問事項１９０である。示された実施形態において、セル１９２、１９４、１９６は、入力データチェックと、出力データチェックと、仮説マトリックスに対するそれぞれの出力データチェックとのような、関連するデータを取得するために実行されるデータチェックのさまざまなタイプを含む。ある実施形態において、入力データチェックを実行するために、データエレメントは、メトリックおよび予期（セル１９８とセル２００）としてカテゴリ分けしてもよい。フォーマットは、解析を決定することと、メトリックを規定することと、予期に対する一致を決定することとを含む、既存の解析に対する出力データチェックを実行するためにも使用してもよい。さらに、品質チェック質問事項１９０は、仮説と予測される結果とを決定することを含む、仮説マトリックスに対する出力データチェックを実行するためにも使用してもよい。
【００５７】
図１０は、本技術の態様にしたがって実現されるデータ管理ツールの例示的なログインスクリーン２１０である。この例示的な実施形態において、システムの各ユーザに割り当てられた一意的なユーザネーム（セル２１２）と対応するパスワード（セル２１４）とを認証することにより、システムは単一ユーザへの安全なアクセスを提供する。システムは、単一ユーザモードと共有モードである２つのモードでアクセスすることができる。単一ユーザモードを通してシステムにアクセスするには、データ解析者は、パーソナルインターフェースを使用してログインする。共有モードは、複数のユーザにより使用される。１つの実施形態において、データ照合システムは、クラウドベースの環境でホスト管理される。他の実施形態において、データ照合システムは、共有サーバの中に存在する。
【００５８】
図１１は本技術の態様にしたがって実現されるデータ管理ツールに対する例示的なホームスクリーンである。データ管理ツールは、参照番号２２０で示されるようなホームスクリーンを含む。要求されるデータを入力フィールド２２２中に提供することにより、ユーザは、新しいプロジェクトを生成させることができる。１つの実施形態において、各プロジェクトは、クライアント（またはユーザ）によって規定された特定の問題文を持つ。ユーザによって生成されたプロジェクトはまた、参照番号２２４および２２６によって表されるように、削除または名前を変更できる。加えて、他のプロジェクト管理オプションが利用可能であってもよい。
【００５９】
ツール中で生成されたすべてのプロジェクトは、ライブラリ中に記憶させてもよい。さらに、関心のあるプロジェクトをサーチするために、サーチフィールド２３６もインターフェース中に提供される。例えば、キーワードに基づいて、ユーザは既存のプロジェクトをサーチすることができる。示された例において、「店舗の実績」がサーチされ、キーワードに関連するすべてのプロジェクトがリストアップされる。
【００６０】
状況−複雑化−質問（ＳＣＱ）マトリックスと、問題に影響を与える複数の要因を含む要因マップと、問題に関係する複数の仮説を含む仮説マトリックスとのような、基礎となるコンポーネントを知るために、各問題文を拡張することができる。
【００６１】
スクリーン２２０は、任意のリストアップされた問題文に関係する最近のアクティビティを表す、最近のアクティビティセル２３４も含む。これは、ツールによって実行される、プロジェクトの時系列順序の迅速なビューを提供する。
【００６２】
一般的に、ここで、および、特に特許請求の範囲（例えば、添付した特許請求の範囲の本文）で使用される用語は、一般的に「オープン」用語（例えば用語「含んでいる」は、「これらに限定されないが、…を含んでいる」と解釈されるべきであるし、用語「持っている」は、「少なくとも…を持っている」と解釈されるべきであるし、用語「含む」は、「これらに限定されないが、…を含む」と解釈されるべきである等）として意図されていることは、当事者により理解されるであろう。特定の数の導入された請求項記載を意図している場合には、そのような意図が請求項の中で明示的に記載されており、そのような記載がない場合には、そのような意図は存在しないということが、当事者によりさらに理解されるであろう。
【００６３】
理解の手助けとして、例えば、以下の添付した特許請求の範囲は、請求項の記載を導入するために、「少なくとも１つ」および「１以上の」の、導入フレーズの使用を含んでいるかもしれない。しかしながら、同じ請求項が、「１以上の」または「少なくとも１つの」の導入フレーズおよび「ａ」または「ａｎ」のような不定冠詞を含むときでさえ、そのようなフレーズを使用することは、不定冠詞「ａ」または「ａｎ」による請求項の記載の導入が、そのような導入された請求項の記載を含む任意の特定の請求項を、１つのそのような記載のみを含む実施形態に限定する、と意味するように解釈されるべきではない（例えば、「ａ」および／または「ａｎ」は、「少なくとも１つ」または「１以上の」を意味するように解釈されるべきである）。請求項の記載導入のために使用される不定冠詞の使用に対して、同じことがあてはまる。加えて、導入された請求項の記載の特定の数が明示的に記載されている場合であっても、そのような記載は、少なくとも記載された数を意味するように解釈すべきであると、当事者は認識するであろう（例えば、他の修飾語句がついていない「２つの記載」のそのままの記載は、少なくとも２つの記載、または２以上の記載を意味する）。
【００６４】
いくつかの実施形態のある特徴のみが、ここで示され記述されているが、多くの修正および変更が当事者に起るかもしれない。したがって、添付した特許請求の範囲は、発明の真の精神の内に入るように、そのようなすべての修正および変更をカバ−するように意図されていると理解すべきである。
【図１】
2014135056.tif 000003
【図２】
2014135056.tif 000004
【図３】
2014135056.tif 000005
【図４】
2014135056.tif 000006
【図５】
2014135056.tif 000007
【図６】
2014135056.tif 000008
【図７】
2014135056.tif 000009
【図８】
2014135056.tif 000010
【図９】
2014135056.tif 000011
【図１０】
2014135056.tif 000012
【図１１】
2014135056.tif 000013
【外国語明細書】
2014135056000001.pdf